(57)【要約】【課題】  電子体温計において、体温を測定する際の利便性を損なうことなく、ユーザにとってより見やすい表示を実現することを目的とする。【解決手段】  配列された複数のＬＥＤ２５２Ａを備える発光部２５２と、振れ検出部２３０と、ＬＥＤ２５２Ａの発光を制御する表示制御部２４４と、を備え、表示制御部２４４は、更に、測定された体温に基づいて発光ドットパターンを生成する手段と、振れ検出部２３０による検出結果に基づいて算出された、ＬＥＤの１ドット列当たりの発光時間を算出する手段と、振れ検出部２３０による検出結果に基づいて算出された振れ速度を取得する手段と、を備え、生成した発光ドットパターンと、算出した１ドット列当たりの発光時間と、算出した振れ速度に対応する発光量とに応じて、ＬＥＤ２５２Ａの発光を制御することを特徴とする。【選択図】  図２
2011137661.tif 000002
【特許請求の範囲】
【請求項１】
被検体の体温を測定する電子体温計であって、
前記電子体温計上に配列された複数の発光素子を備える発光手段と、
前記電子体温計が振られたことを検出する振れ検出手段と、
前記発光手段が備える前記複数の発光素子の発光を制御する発光制御手段と、を備え、
前記発光制御手段は、
測定された前記被検体の体温に関する情報に基づいて、前記発光手段により発光される発光ドットパターンを生成する生成手段と、
前記振れ検出手段による検出結果に基づいて算出した前記電子体温計の所定方向の振れ時間と、前記生成した発光ドットパターンを表現するのに必要な所定方向の発光素子のドット列数とを用いて、前記発光素子の１ドット列当たりの発光時間を算出する算出手段と、
前記振れ検出手段による検出結果に基づいて算出された前記電子体温計の所定方向の振れ速度を取得する取得手段と、を備え、
前記振れ検出手段が前記電子体温計が振られたことを検出した場合に、前記生成した発光ドットパターンと、前記算出した１ドット列当たりの発光時間と、前記取得した振れ速度に対応する発光量とに基づいて、前記複数の発光素子の発光を制御することを特徴とする電子体温計。
【請求項２】
被検体の体温を測定する電子体温計であって、
前記電子体温計上に配列された複数の発光素子を備える発光手段と、
前記電子体温計が振られたことを検出するとともに、振れ速度がゼロとなった位置を基準位置として、該基準位置からの距離を算出する振れ検出手段と、
前記発光手段が備える前記複数の発光素子の発光を制御する発光制御手段と、を備え、
前記発光制御手段は、
測定された前記被検体の体温に関する情報を表現するために、前記電子体温計の振れ方向における前記発光素子のドット列によって構成された発光ドットパターンであって、前記振れ検出手段による検出結果に基づいて算出した前記電子体温計の振れ幅に基づいて、該ドット列の前記基準位置からの距離が規定された発光ドットパターンを生成する生成手段と、
前記振れ検出手段による検出結果に基づいて算出された前記電子体温計の振れ方向における振れ速度を取得する取得手段と、を備え、
前記振れ検出手段により算出された前記基準位置からの距離が、前記発光ドットパターンを構成する各ドット列について規定された前記基準位置からの距離に一致した場合に、前記複数の発光素子が、対応するドット列に従って、前記取得した振れ速度に対応する発光量にて発光するように制御することを特徴とする電子体温計。
【請求項３】
前記発光制御手段は、前記算出された振れ速度が大きい場合に、前記発光量が大きくなるように、前記複数の発光素子の発光を制御することを特徴とする請求項１または２に記載の電子体温計。
【請求項４】
被検体の体温を測定する電子体温計であって、前記電子体温計上に配列された複数の発光素子を備える発光手段と、前記電子体温計が振られたことを検出する振れ検出手段と、前記発光手段が備える前記複数の発光素子の発光を制御する発光制御手段と、を備える電子体温計における表示制御方法であって、
測定された前記被検体の体温に関する情報に基づいて、前記発光手段により発光される発光ドットパターンを生成する生成工程と、
前記振れ検出手段による検出結果に基づいて算出した前記電子体温計の所定方向の振れ時間と、前記生成した発光ドットパターンを表現するのに必要な所定方向の発光素子のドット列数とを用いて、前記発光素子の１ドット列当たりの発光時間を算出する算出工程と、
前記振れ検出手段による検出結果に基づいて算出された前記電子体温計の所定方向の振れ速度を取得する取得工程と、を備え、
前記振れ検出手段が前記電子体温計が振られたことを検出した場合に、前記発光制御手段は、前記生成した発光ドットパターンと、前記算出した１ドット列当たりの発光時間と、前記取得した振れ速度に対応する発光量とに基づいて、前記複数の発光素子の発光を制御することを特徴とする電子体温計の表示制御方法。
【請求項５】
被検体の体温を測定する電子体温計であって、前記電子体温計上に配列された複数の発光素子を備える発光手段と、前記電子体温計が振られたことを検出するとともに、振れ速度がゼロとなった位置を基準位置として、該基準位置からの距離を算出する振れ検出手段と、前記発光手段が備える前記複数の発光素子の発光を制御する発光制御手段と、を備える電子体温計における表示制御方法であって、
測定された前記被検体の体温に関する情報を表現するために、前記電子体温計の振れ方向における前記発光素子のドット列によって構成された発光ドットパターンであって、前記振れ検出手段による検出結果に基づいて算出した前記電子体温計の振れ幅に基づいて、該ドット列の前記基準位置からの距離が規定された発光ドットパターンを生成する生成工程と、
前記振れ検出手段による検出結果に基づいて算出された前記電子体温計の振れ方向における振れ速度を取得する取得工程と、を備え、
前記振れ検出手段により算出された前記基準位置からの距離が、前記発光ドットパターンを構成する各ドット列について規定された前記基準位置からの距離に一致した場合に、前記複数の発光素子が、対応するドット列に従って、前記取得した振れ速度に対応する発光量にて発光するように制御することを特徴とする電子体温計の表示制御方法。
【請求項６】
請求項４または５に記載の表示制御方法をコンピュータによって実行させるためのプログラムを格納したコンピュータ読取可能な記憶媒体。
【発明の詳細な説明】
【技術分野】
【０００１】
本発明は、被検体の体温を測定する電子体温計に関するものである。
【背景技術】
【０００２】
従来より、電子体温計にはＬＣＤ等の表示部が設けられており、測定された被検体の体温等の情報をユーザに表示することができるように構成されている（例えば、下記特許文献１参照）。
【先行技術文献】
【特許文献】
【０００３】
【特許文献１】特開２００７−２４５３０号公報
【発明の概要】
【発明が解決しようとする課題】
【０００４】
しかしながら、近年、その表示部は、電子体温計の軽量・小型化に伴って、大きさが制約される傾向にあり、ユーザにとっては、必ずしも見やすい表示となっていない。特に、周辺環境が暗い場合にあっては、表示された情報を読み取ることが困難な状況となっている。
【０００５】
一方で、寸法を大きくしたり、ＬＣＤのバックライトを明るくしたりすることで、ユーザにとってより見やすい表示部を実現することは可能であるが、この場合、電子体温計の外形が大きくなったり、消費電力が増大し電池交換が頻繁に必要になるなど、ユーザの利便性が損なわれる結果となる。
【０００６】
本発明は上記課題に鑑みてなされたものであり、電子体温計において、ユーザの利便性を損なうことなく、より見やすい表示を実現することを目的とする。
【課題を解決するための手段】
【０００７】
上記の目的を達成するために、本発明に係る電子体温計は以下のような構成を備える。即ち、
被検体の体温を測定する電子体温計であって、
前記電子体温計上に配列された複数の発光素子を備える発光手段と、
前記電子体温計が振られたことを検出する振れ検出手段と、
前記発光手段が備える複数の発光素子の発光を制御する発光制御手段と、を備え、
前記発光制御手段は、
測定された前記被検体の体温に関する情報に基づいて、前記発光手段において発光されるべき発光ドットパターンを生成する生成手段と、
前記振れ検出手段による検出結果に基づいて算出した前記電子体温計の所定方向の振れ時間と、前記生成した発光ドットパターンを表現するのに必要な前記所定方向の発光素子のドット列数とを用いて、前記発光素子の１ドット列当たりの発光時間を算出する算出手段と、
前記振れ検出手段による検出結果に基づいて算出された前記電子体温計の前記所定方向の振れ速度を取得する取得手段と、を備え、
前記振れ検出手段が前記電子体温計が振られたことを検出した場合に、前記生成した発光ドットパターンと、前記算出した１ドット列当たりの発光時間と、前記取得した振れ速度に対応する発光量とに基づいて、前記複数の発光素子の発光を制御することを特徴とする。
【発明の効果】
【０００８】
本発明によれば、電子体温計において、ユーザの利便性を損なうことなく、より見やすい表示を実現することが可能となる。
【図面の簡単な説明】
【０００９】
【図１】本発明の第１の実施形態に係る電子体温計の外観構成の一例を示す図である。
【図２】電子体温計のシステム構成を示す図である。
【図３】電子体温計を長手方向と略直交する方向に、電子体温計の姿勢を維持した状態で往復で振った場合に、発光部の発光によってユーザが視認する表示内容の一例を示した図である。
【図４】信号処理部における信号処理の内容を説明するための図である。
【図５】表示制御部において生成された発光ドットパターンの一例を示す図である。
【図６】振れ速度と発光量との関係を示す図である。
【図７Ａ】表示制御部による発光部の発光制御処理の内容を説明するための図である。
【図７Ｂ】表示制御部による発光部の発光制御処理の内容を説明するための図である。
【図８】電子体温計の体温測定処理の流れを示すフローチャートである。
【図９】電子体温計の可視化処理の流れを示すフローチャートである。
【図１０】本発明の第２の実施形態に係る電子体温計の信号処理部における信号処理の内容を説明するための図である。
【図１１】表示制御部において生成された発光ドットパターンの一例を示す図である。
【図１２】電子体温計の可視化処理の流れを示すフローチャートである。
【発明を実施するための形態】
【００１０】
以下、本発明の一実施形態について図面を参照しながら説明する。
【００１１】
１．電子体温計の外観構成
図１は、本発明の第１の実施形態に係る電子体温計１００の外観構成の一例を示す図である。
【００１２】
図１において、１０１は、被検体の体温に関する情報を表示する表示部であり、例えば、ＬＣＤ等により構成されている。
【００１３】
１０２は発光部であり、ＬＥＤ等の発光素子が電子体温計１００の長手方向に一列に配列されている。なお、図１の例では、発光部１０２としてＬＥＤが７個配列された場合について図示しているが、発光部１０２に含まれるＬＥＤの数は７個に限られない。また、図１の例では、発光部１０２としてＬＥＤを１列に配列した場合について図示しているが、ＬＥＤの配列数は１列に限られず、複数列であってもよい。
【００１４】
１０３はエンドキャップであり、内蔵された温度計測部（詳細は後述）に対して被検体の体温が伝導しやすいように、ステンレスなどの金属により構成されている。
【００１５】
１０４はＯＮ／ＯＦＦスイッチであり、体温の測定を開始する際、又は体温の測定を終了した際に押すことで、電子体温計１００の電源のＯＮ／ＯＦＦが制御される。
【００１６】
２．電子体温計のシステム構成
次に、電子体温計のシステム構成について図２を参照しながら説明する。
【００１７】
図２は、本発明の第１の実施形態に係る電子体温計１００のシステム構成を示す図である。
【００１８】
電子体温計１００のシステムは、電源部２１０と温度計測部２２０と振れ検出部２３０と演算制御部２４０と、出力部２５０と、ブザー２６０とに大別することができる。
【００１９】
電源部２１０は、従来の使い捨て式又は充電式の電池を内蔵しており、電子体温計１００の各部に電源を供給する。
【００２０】
温度計測部２２０は、サーミスタ、コンデンサ、測温用ＣＲ発振回路等から構成されており、サーミスタにより検出された温度を発振信号として出力する。出力された発振信号はカウンタ２４５においてカウントされることで、デジタル量として出力される。なお、温度計測部２２０の構成は一例であって、これに限定されるものではない。
【００２１】
演算制御部２４０は、体温測定に必要なパラメータを格納したＥＥＰＲＯＭ２４１、計測した温度を時系列で記憶するためのＲＡＭ２４２、予測式の体温測定プログラム等を格納したＲＯＭ２４３、出力部２５０を制御するための表示制御部２４４、温度計測部２２０より出力された発振信号をカウントするカウンタ２４５、ＲＯＭ２４３の体温測定プログラムに従いＥＥＰＲＯＭ２４１に格納されたパラメータに従って演算を行う演算処理部２４６、カウンタ２４５及び表示制御部２４４を制御する制御回路２４７を備える。
【００２２】
ブザー２６０は、演算処理部２４６において体温測定処理が終了したことを、鳴動により被検体に知らせる。
【００２３】
振れ検出部２３０は、モーション・センサ２３１と、信号処理部２３２とを備える。モーション・センサ２３１としては、例えば、加速度センサ等が用いられるものとする。
【００２４】
信号処理部２３２は、モーション・センサ２３１が検出した電子体温計１００の振れを信号として受信する。そして、当該信号に基づいて、発光部２５２の発光開始／発光完了のタイミングや各発光素子２５２Ａの１ドット列当たりの発光時間を規定するための信号（振れ方向の変更タイミングを示す信号（詳細は後述））を算出し、表示制御部２４４に出力する。また、モーション・センサ２３１より受信した当該信号に基づいて、発光部２５２の各発光素子２５２Ａの発光量を規定するための信号（振れ速度を示す信号）を算出し、表示制御部２４４に出力する。
【００２５】
出力部２５０は、従来の表示方法（ＬＣＤ等）で体温に関する情報を表示する表示部２５１と、ユーザの目の残像効果を利用して体温に関する情報を可視化する発光部２５２とを備える。
【００２６】
表示部２５１（図１の表示部１０１に対応する）は、ＬＣＤ等により構成され、表示制御部２４４から受信した被検体の体温に関する情報（測定結果）を表示する。
【００２７】
発光部２５２（図１の発光部１０２に対応する）は、電子体温計１００が往復で振られた際に、被検体の体温に関する情報がユーザによって視認されうるように、所定のプログラムが格納された記憶媒体と該プログラムを実行する処理部とを備える表示制御部２４４によって生成された発光ドットパターンと、該表示制御部２４４によって算出された１ドット列当たりの発光時間と、信号処理部２３２より受信した振れ方向の変更タイミングを示す信号及び振れ速度を示す信号とに基づいて、発光する（詳細は後述）。つまり、表示制御部２４４は、表示部２５１の表示を制御する表示制御機能と、発光部２５２の各発光素子２５２Ａの発光を制御する発光制御機能とを備えている。
【００２８】
なお、発光部２５２の各発光素子２５２Ａが発光している状態で、ユーザが電子体温計１００を振ると、ユーザは、目の残像効果の影響により、被検体の体温に関する情報を空間上において視認することができる。
【００２９】
なお、電子体温計１００のように発光部１０２を備える構成の場合、必ずしも表示部２５１を設ける必要はなく、表示部２５１は省略されても良い。このように、表示部２５１を省略することで、電子体温計１００は、表示部を配するための幅又は大きさを維持する必要が無くなり、外形寸法を更に小さくすることができる。
【００３０】
３．発光部の発光により視認される表示内容
次に、電子体温計１００の発光部２５２の各発光素子２５２Ａの発光により視認される表示内容について、図面を参照しながら説明する。
【００３１】
図３は電子体温計１００を長手方向と略直交する方向（以下、横方向と称す）に、電子体温計１００の姿勢を維持した状態のまま振った場合に、発光部２５２の各発光素子２５２Ａの発光によってユーザに視認される表示内容の一例を示した図である。
【００３２】
発光部２５２では、電子体温計１００が横方向に往復で振られているうちの、所定方向の振れ（ここでは、紙面左側から右側への振れ、以下、右振れと称す）の間、被検体の体温に関する情報に対応する発光ドットパターンと、１ドット列当たりの発光時間とに基づいて、各発光素子２５２Ａが発光する。これにより、その発光を見たユーザは、目の残像効果の影響により、被検体の体温に関する情報を視認することができる。
【００３３】
なお、図３の例は、電子体温計１００を横方向に往復で振ることで、振れ範囲内の空間上に、“３８．５℃”という表示が浮かび上がって見える様子を示したものである。
【００３４】
図３に示すように、電子体温計１００の発光部２５２を構成する各発光素子２５２Ａは、電子体温計１００の右振れが完了するまでの間に、それぞれ対応する発光タイミングにおいて発光する。なお、本実施形態では紙面右側から左側への振れ（以下、左振れと称す）の間は、各発光素子２５２Ａの発光は行われないものとする。
【００３５】
このように、各発光素子２５２Ａは、対応する発光タイミングにおいて、一瞬（１ドット列当たりの発光時間分）発光するだけであるが、ユーザの目の残像効果の影響により、それぞれの発光タイミングで発光した光が残像として残るため、ユーザには、連続した文字として視認されることとなる。以下、電子体温計１００を横方向に往復で振った場合の、信号処理部２３２及び表示制御部２４４における処理の詳細について説明する。
【００３６】
４．信号処理部における信号処理
はじめに、信号処理部２３２における信号処理の内容について図４を用いて説明する。上述したように、信号処理部２３２では、モーション・センサ２３１（加速度センサ）からの出力に基づいて、発光部２５２の発光開始／発光完了のタイミングや各発光素子の１ドット列当たりの発光時間を規定するための信号（振れ方向の変更タイミングを示す信号）を出力する。また、加速度センサからの出力に基づいて、発光部２５２における各発光素子２５２Ａの発光量を規定するための信号（振れ速度を示す信号）を出力する。
【００３７】
図４は、信号処理部２３２における当該信号処理の内容を説明するための図である。図４の（Ａ）は、ユーザによって電子体温計１００が往復で振られた際のモーション・センサ２３１（加速度センサ）の出力を示した図である。
【００３８】
電子体温計１００では、横方向の往復の振れのうち、右振れの間、発光部２５２の各発光素子の発光を制御する。これに対応するため、信号処理部２３２では、左振れしていた電子体温計１００の振れ方向が右振れに変更されたタイミング（振れ方向の変更タイミング）を検出する。
【００３９】
図４の（Ａ）に示すように、電子体温計１００の往復の振れに応じて、加速度センサからは正弦波状の信号が出力される。
【００４０】
このため、信号処理部２３２では、加速度センサより出力された当該信号を微分処理し、微分処理の結果がゼロになるタイミング（つまり、加速度センサより出力された信号の傾きがゼロになるタイミング）を検出する。
【００４１】
ここで、加速度センサより出力された信号の傾きがゼロになるタイミングとしては、左振れしていた電子体温計１００の振れ方向が、右振れに変更されたタイミングと、右振れしていた電子体温計１００の振れ方向が、左振れに変更されたタイミングの、２種類がある。
【００４２】
このうち、信号処理部２３２では、左振れしていた電子体温計１００の振れ方向が、右振れに変更されたタイミングのみを抽出して、表示制御部２４４に出力する（図４の（Ｂ−１）参照）。
【００４３】
また、信号処理部２３２では、加速度センサより出力された信号を積分処理することにより、電子体温計１００の振れ速度をリアルタイムに検出し、表示制御部２４４に出力する（図４の（Ｂ−２）参照）。
【００４４】
５．表示制御部において生成される発光ドットパターン
次に、表示制御部２４４において生成される発光ドットパターンについて説明する。図５は、表示制御部２４４において生成される発光ドットパターンの一例を示す図である。
【００４５】
図５に示すように、発光ドットパターンは、発光部２５２の各発光素子２５２Ａにより可視化される仮想的な表示領域における表示であり、縦に配列された発光素子２５２Ａの数と、所定方向に振られている間（本実施形態では右振れの間）の発光素子の発光回数であるドット列数とにより規定される。
【００４６】
図５において、黒い丸及び白い丸は、電子体温計１００が横方向の振れに伴って移動した場合の、各発光タイミングにおける発光素子の位置を示している。本実施形態では、１文字（ただし、「小数点」は除く）を表現するのに、横方向５ドットと縦方向７ドット（７つの発光素子）とを用いるものとする。また、横方向の文字と文字の間には、２ドット列数分の発光素子の空白が設けられているものとする。
【００４７】
このため、図５に示すように、被検体の体温に関する情報として、例えば“３８．５℃”の５文字（“３”、“８”、“．”、“５”及び“℃”）を可視化するためには、
（１文字あたりの横方向ドット列数（＝５ドット））×４文字
＋（「小数点」の横方向ドット列数（＝１ドット））×１文字
＋（空白列のドット列数（＝２ドット））×（５文字＋１）
＝３３ドット列数が必要となる。
【００４８】
つまり、電子体温計１００の右振れが開始してから完了するまでの間に、各発光素子は３３ドット列数からなる発光ドットパターンを出力することになる。このため、１ドット列数分の発光時間（つまり、各発光素子の１ドット列当たりの発光時間ｔ）は、電子体温計１００の右振れが開始してから完了するまでにかかる振れ時間をＴとした場合、Ｔ／３３となる。
【００４９】
ここで、電子体温計１００の右振れが開始してから完了するまでにかかる振れ時間Ｔは、モーション・センサ２３１の出力に基づいて信号処理部２３２が検出した検出結果（振れ方向の変更タイミング）に基づいて算出することができる。
【００５０】
具体的には、信号処理部２３２から出力されたＯＮ信号とＯＮ信号との間隔の１／２を算出することにより求めることができる。
【００５１】
なお、モーション・センサ２３１（加速度センサ）の出力に基づいて、信号処理部２３２が、左方向に振られた電子体温計１００の振れ方向が、右方向の振れに変更された振れ方向の変更タイミングと、右方向に振られた電子体温計１００の振れ方向が左方向の振れに変更された振れ方向の変更タイミングとをそれぞれ算出しておき、表示制御部２４４がそれらの出力間隔に基づいて算出するように構成してもよい。
【００５２】
このように、表示制御部２４４では、被検体の体温に関する情報を可視化するために以下のように動作する。
・発光部２５２において可視化すべき可視化情報（被検体の体温に関する情報）を受信し、これを表現するための発光ドットパターンを生成する。
・信号処理部２３２からの信号の出力間隔に基づいて算出された振れ時間Ｔと、可視化情報を表現するのに必要な横方向の発光素子のドット列数とに基づいて、次回の右振れ時における１ドット列当たりの発光時間ｔを算出する。
・信号処理部２３２からの信号（振れ方向の変更タイミング）の出力を発光開始タイミングとして、各発光素子を、生成された発光ドットパターンと、算出された１ドット列あたりの発光時間ｔとに基づいて発光させる。
【００５３】
６．発光部における発光量
次に、電子体温計１００の発光部２５２の各発光素子２５２Ａの発光量について説明する。表示制御部２４４では、上記動作により被検体の体温に関する情報を可視化するにあたり、各発光素子２５２Ａの発光量を、電子体温計１００の振れ速度に応じて変更する。
【００５４】
上述したように、各発光素子の１ドット列当たりの発光時間ｔは、振れ時間Ｔにより算出される。このため、振れ時間Ｔが同じであるならば、各発光素子の１ドット列当たりの発光時間ｔは同じになる。しかしながら、振れ時間Ｔが同じであっても、ユーザによって電子体温計１００を振った際の振れ速度は異なってくる。そして、電子体温計１００を低速度で振った場合と、高速度で振った場合とでは、各発光素子の１ドット列当たりの発光時間ｔが同じであっても見え方は異なってくる。
【００５５】
振れ時間Ｔが同じで振れ速度が低速の場合、振れ幅は小さくなり、振れ速度が高速の場合、振れ幅は大きくなるが、それぞれの発光時間ｔが同じとすると、振れ幅が大きいほど、すなわち振れ速度が大きいほど、各発光素子２５２Ａの発光が見えにくくなる。
【００５６】
そこで、本実施形態に係る表示制御部２４４では、信号処理部２３２より電子体温計１００の振れ速度を取得し、振れ速度が上がった場合には発光量を大きくし、振れ速度が下がった場合には発光量を小さくすることで、振れ速度の違いによる見え方の違いを補正している。
【００５７】
図６は、取得した振れ速度と、各発光素子２５２Ａを発光させる際の発光量との関係を示す図である。図６に示すように、表示制御部２４４では、表示制御部２４４において制御可能な最小発光量と最大発光量との間において、振れ速度に比例した発光量により各発光素子２５２Ａの発光を制御している。
【００５８】
７．発光開始から発光完了までの発光制御処理の内容
次に、発光開始から発光完了までの表示制御部２４４における発光制御処理の内容について説明する。
【００５９】
図７Ａは、表示制御部２４４における、発光開始から発光完了までの発光制御処理の内容を説明するための図である。図７Ａにおいて、（Ａ）は振れ方向の変更タイミングにおいて発光を開始した状態を示している。また、（Ｂ）及び（Ｃ）は、振れ時間Ｔの１／３が経過した状態及び２／３が経過した状態をそれぞれ示している。さらに、（Ｄ）は振れ時間Ｔが経過し、発光が完了した状態を示している。
【００６０】
同様に、図７Ｂは、表示制御部２４４における、発光開始から発光完了までの発光制御処理の内容を説明するための図である。図７Ａとの違いは、振れ時間Ｔが同じで振れ速度が大きくなっている点である（このため、振れ幅が大きくなっている）。
【００６１】
この結果、図７Ａの場合の発光量と比べて、図７Ｂの場合、各発光素子２５２Ａの発光量は大きくなっている（図中の各ドットのうち、白抜きのドットの大きさが、図７Ａに比べて図７Ｂの方が大きくなっているのは、発光量が大きいことを示している）。
【００６２】
このように、各発光素子２５２Ａは、信号処理部２３２から出力された信号（振れ方向の変更タイミングを示す信号）の出力を発光開始タイミングとして、それぞれのタイミングで発光すべき発光ドットパターンに基づき、算出された１ドット列当たりの発光時間分だけ、振れ速度に応じた発光量により発光するよう制御される。これにより、電子体温計１００では右振れが完了するまでの間に、“３８．５℃”なる文字を可視化することができる。
【００６３】
８．電子体温計の体温測定手順
続いて、図８を用いて電子体温計１００における体温測定処理の流れを説明する。図８は電子体温計１００の体温測定処理の流れを示すフローチャートである。なお、本実施形態に係る電子体温計１００では、例えば、特開２００７−２４５３０号公報などに開示された予測式の体温測定方法を用いて体温測定を行うものとする。
【００６４】
ＯＮ／ＯＦＦスイッチ１０４が押下されると、電子体温計１００の電源がＯＮとなり、ステップＳ８０１に進む。
【００６５】
ステップＳ８０１では、電子体温計１００の初期化が行われ、温度計測部２２０による温度値の検出が開始される。例えば、０．５秒おきに温度計測部２２０を用いて温度値が検出される。
【００６６】
ステップＳ８０２では、例えば、前回実測値（つまり０．５秒前の実測値）からの上昇が所定の値（例えば１度）以上となる温度値を計測した時点を、予測式の基準点（ｔ＝０）と設定し、ＲＡＭ２４２に特定タイミングで実測値のデータ（時系列データ）として記憶を開始する。つまり、急激な温度上昇を検出することにより、被検体の所定の測定部位に電子体温計１００が装着されたとみなす。
【００６７】
ステップＳ８０３からステップＳ８０７までは、周知の予測式の体温測定方法を用いて体温を予測する処理であり、その詳細に関しては、例えば、特開２００７−２４５３０号公報などに記載されているため、ここでは簡潔に説明することとする。
【００６８】
ステップＳ８０３では、測定中に計測温度の低下が観測されたか否かを判断する。計測温度の低下が見られる場合は、ステップＳ８１２に進み、計測温度の低下が見られない場合にはステップＳ８０４に進む。
【００６９】
ステップＳ８１２では、計測されたデータの補正処理を行う。補正処理が正常に終了した場合にはステップＳ８０２に戻る。一方、補正処理が正常に終了しなかった場合には、ステップＳ８１３に進む。ステップＳ８１３では、体温測定が正常に終了しなかったとして、エラーを告げるブザー２６０が鳴動した後、体温測定処理を終了する。
【００７０】
一方、ステップＳ８０４では、ステップＳ８０２で記憶されたデータを用いて、前述した予測式の体温測定方法を用いて逐次予測値を導出（例えば、０．５秒間隔で導出）する。
【００７１】
ステップＳ８０５では、基準点（ｔ＝０）から所定時間（例えば１６秒）だけ経過した後、例えばステップＳ８０４で導出した複数の群に対応するそれぞれの予測値の変化に基づいて群分け判定を行う。
【００７２】
ステップＳ８０６では、ステップＳ８０５によって決定された群以外の演算を停止し、判定された群における予測演算を引き続き所定時間、導出する。
【００７３】
ステップＳ８０７では、基準点（ｔ＝０）から所定時間（例えば３０秒）だけ経過した時点で、ステップＳ８０６における処理の結果導出された一定区間（例えばｔ＝２５〜３０秒）における予測値があらかじめ設定された予測成立条件を満たすか否かをチェックする。具体的には、所定の範囲（例えば０．１度）に収まっているか否かをチェックする。
【００７４】
ステップＳ８０７において予測成立条件を満たしたと判定された場合には、ステップＳ８０８に進む。一方、予測成立条件を満たさないと判定された場合は、ステップＳ８１４に進む。
【００７５】
ステップＳ８１４では、例えばタイマーなどで計測開始から所定時間（例えば４５秒）が経過したか否かを監視し、経過した場合には、強制的に予測を成立させ、ステップＳ８０８に進む。つまり、その時点で導出されている予測値をそのまま最終予測値と見なす。
【００７６】
ステップＳ８０８では、体温測定が正常に終了したものとして予測成立を告げるブザー２６０が鳴動する。ステップＳ８０９では、導出された体温の予測値を測定結果として出力部２５０の表示部２５１に表示する。
【００７７】
ステップＳ８１０では、導出された体温の予測値を測定結果として、可視化処理を行う。なお、可視化処理の詳細は後述する。
【００７８】
ステップＳ８１１では、体温測定終了の指示を受け付けたか否かを判定する。体温測定終了の指示は、例えば、ＯＮ／ＯＦＦスイッチ１０４が押下されたか否かに基づいて判定してもよいし、ステップＳ８０９における表示から一定時間経過した場合に体温測定終了の指示があったものとみなすようにしてもよい。以上のステップを経て、体温測定処理を終了し、電源をＯＦＦにする。
【００７９】
９．可視化処理の流れ
次に、測定結果を発光部２５２において可視化するための表示制御部２４４における可視化処理の流れについて説明する。図９は、表示制御部２４４における可視化処理の流れをフローチャートである。
【００８０】
ステップＳ９０１では、電子体温計１００が横方向に往復で振られているか否かを判定する。ステップＳ９０１において、横方向に往復で振られていると判定された場合には、ステップＳ９０２に進む。
【００８１】
ステップＳ９０２では、可視化情報として測定結果を取得し、ステップＳ９０３では、信号処理部２３２からの信号（振れ方向の変更タイミングを示す信号）の出力間隔に基づいて、電子体温計１００の振れ時間Ｔを算出する。
【００８２】
ステップＳ９０４では、可視化情報（測定結果）に基づいて、各発光素子２５２Ａにより可視化されるべき発光ドットパターンを生成する。
【００８３】
ステップＳ９０５では、ステップＳ９０３において算出された振れ時間Ｔと、ステップＳ９０４において生成された発光ドットパターンを表現するのに必要な発光素子のドット列数とに基づいて、１ドット列当たりの発光時間ｔを算出する。
【００８４】
ステップＳ９０６では、信号処理部２３２からの信号（振れ速度を示す信号）を取得し、信号処理部２３２からの信号（振れ方向の変更タイミングを示す信号）の出力を受信したタイミングで、生成した発光ドットパターンと、算出した１ドット列当たりの発光時間ｔと、取得した振れ速度に対応する発光量とに基づいて、各発光素子の発光の制御を行う。
【００８５】
ステップＳ９０７では、信号処理部２３２からの信号の出力が継続しているか否かを判定し、継続していると判定された場合には、ステップＳ９０３に戻る。一方、信号処理部２３２からの信号の出力がないと判定された場合には、可視化処理を終了する。
【００８６】
以上の説明から明らかなように、本実施形態に係る電子体温計１００では、配列された複数の発光素子を備える発光部と、電子体温計１００の振れを検出するモーション・センサ２３１と、発光部の発光を制御する表示制御部２４４とを備える構成とした。
【００８７】
そして、電子体温計が横方向に往復で振られている際に、振れ速度に応じた発光量により各発光素子を適切に発光させることで、被検体の体温に関する情報を、ユーザが空間上において視認できるよう構成した。
【００８８】
この結果、電子体温計において、体温を測定する際の利便性を損なうことなく、ユーザにとってより見やすい表示を実現することが可能となった。特に当該電子体温計によれば、振れ速度に応じて発光量が適切に調節されるため、ユーザによる振れ速度の違いに起因する視認性のバラツキを吸収することができる。また振れ速度が遅いときに必要以上の発光量で発光する必要が無くなり、省電力にもつながる。
【００８９】
［第２の実施形態］
上記第１の実施形態では、モーション・センサ２３１（加速度センサ）の出力に基づいて、信号処理部２３２が振れ方向の変更タイミングを示す信号を出力する構成について説明したが、本発明はこれに限定されない。
【００９０】
例えば、信号処理部２３２では、モーション・センサ２３１（加速度センサ）の出力に基づいて、電子体温計の振れ方向の変更位置ならびに振れ方向の変更位置からの距離を示す信号を出力するように構成してもよい。
【００９１】
そして、当該信号処理部２３２からの、電子体温計の振れ方向の変更位置ならびに該振れ方向の変更位置からの距離を示す信号の出力に伴って、表示制御部２４４では、該振れ方向の変更位置からの距離に応じて各発光素子の発光を行うように構成してもよい。以下、本実施形態の詳細について説明する。なお、以下の説明は、上記第１の実施形態との相違点を中心に行うものとする。
【００９２】
１．信号処理部における信号処理
はじめに、発光部２５２の発光開始／発光完了位置（振れ方向の変更位置）及び該振れ方向の変更位置からの距離を示す信号、ならびに発光部２５２における各発光素子２５２Ａの発光量を規定するための信号（振れ速度を示す信号）を出力する信号処理部２３２における信号処理の内容について説明する。
【００９３】
図１０は、信号処理部２３２における信号処理の内容を説明するための図である。図１０の（Ａ）は、ユーザによって電子体温計１００が往復で振られた際のモーション・センサ２３１（加速度センサ）の出力を示した図である。
【００９４】
本実施形態に係る電子体温計１００では、振れ方向の変更位置を基準として、該変更位置からの距離に応じて各発光素子２５２Ａの発光を制御する。このため、信号処理部２３２では、振れ方向の変更位置ならびに該振れ方向の変更位置からの距離を示す信号を算出する。
【００９５】
図１０の（Ａ）に示すように、電子体温計１００の往復の振れに応じて、加速度センサからは正弦波状の信号が出力される。
【００９６】
このため、信号処理部２３２では、加速度センサより出力された信号の傾きがゼロになるタイミング（つまり、振れ速度がゼロになるタイミング）を検出する。
【００９７】
ここで、加速度センサより出力された信号の傾きがゼロになるタイミングとしては、左振れしていた電子体温計１００の振れ方向が、右振れに変更されたタイミングと、右振れしていた電子体温計１００の振れ方向が、左振れに変更されたタイミングの、２種類がある。信号処理部２３２では、これら２種類のタイミングを抽出し、その信号（振れ方向の変更位置を示す信号）を表示制御部２４４に出力する。
【００９８】
さらに、左振れしていた電子体温計１００の振れ方向が、右振れに変更されたタイミングにおける電子体温計１００の位置（振れ方向の変更位置１００１）を基準位置として、加速度センサより出力された信号を２回積分することにより、もう一方の振れ方向の変更位置１００２（右振れしていた電子体温計１００の振れ方向が、左振れに変更されたタイミングにおける電子体温計１００の位置）までの、該基準位置からの距離を算出する（図１０の（Ｂ−１）参照）。算出された基準位置からの距離を示す信号は、表示制御部２４４に出力される。
【００９９】
信号処理部２３２では、更に、加速度センサより出力された信号を積分処理することにより、電子体温計１００の振れ速度をリアルタイムに検出し、表示制御部２４４に出力する（図１０の（Ｂ−２）参照）。
【０１００】
２．表示制御部において生成される発光ドットパターン
次に、表示制御部２４４において生成される発光ドットパターンについて説明する。図１１は、表示制御部２４４において生成される発光ドットパターンの一例を示す図である。
【０１０１】
図１１に示すように、発光ドットパターンは、発光部２５２の各発光素子２５２Ａにより可視化される仮想的な表示領域における表示であり、縦に配列された発光素子２５２Ａの数と、所定方向に振られている間（本実施形態では右振れの間）の発光素子の発光回数であるドット列数と、各ドット列の振れ方向の変更位置１００１からの距離とにより規定される。
【０１０２】
図１１において、黒い丸及び白い丸は、電子体温計１００が横方向の振れに伴って移動した場合の、各発光タイミングにおける発光素子のＯＦＦ／ＯＮを示している。本実施形態では、１文字（ただし、「小数点」は除く）を表現するのに、横方向５ドットと縦方向７ドット（７つの発光素子）とを用いるものとする。また、横方向の文字と文字の間には、２ドット列数分の発光素子の空白が設けられるものとする。
【０１０３】
このため、図１１に示すように、被検体の体温に関する情報として、例えば“３８．５℃”の５文字（“３”、“８”、“．”、“５”及び“℃”）を可視化するためには、
（１文字あたりの横方向ドット列数（＝５ドット））×４文字
＋（「小数点」の横方向ドット列数（＝１ドット））×１文字
＋（空白列のドット列数（＝２ドット））×（５文字＋１）
＝３３ドット列数が必要となる。
【０１０４】
つまり、電子体温計１００の右振れが開始してから完了するまでの間に、発光素子は、３３ドット列数からなる発光ドットパターンを出力することとなる。このとき各ドット列の発光位置は、各ドット列の振れ方向の変更位置からの距離により規定される。
【０１０５】
具体的には、可視化情報が、“３８．５℃”の場合、振れ幅（振れ方向の変更位置１００１と１００２との間の距離）をＬとすると、
ｘ１＝（Ｌ／３３）×０
ｘ２＝（Ｌ／３３）×１
ｘ３＝（Ｌ／３３）×２
・・・
ｘ３３＝（Ｌ／３３）×３２
となる。
【０１０６】
このように、振れ幅Ｌに応じて、発光ドットパターンを規定することにより、振れ幅Ｌに応じた大きさの文字を振れ幅全体にわたって可視化させることが可能となる。
【０１０７】
具体的には、表示制御部２４４では、被検体の体温に関する情報を可視化するために以下のように動作する。
・発光部２５２において可視化すべき可視化情報（被検体の体温に関する情報）を受信し、これを表現するための発光ドットパターンを生成する。
・発光ドットパターンにおいて各ドット列の振れ方向の変更位置からの距離を規定する。
・信号処理部２３２から出力された振れ方向の変更位置を示す信号の出力を発光開始位置として制御を開始し、信号処理部２３２から出力された振れ方向の変更位置からの距離を示す信号が、規定された各ドット列の振れ方向の変更位置からの距離と一致した場合に、各発光素子を、対応するドット列に従って発光させる。
【０１０８】
ただし、発光に際しては、上記第１の実施形態と同様、信号処理部２３２から取得した振れ速度を示す信号に応じた発光量にて行う。
【０１０９】
なお、所定のドット列に基づく発光は、電子体温計１００が次のドット列に基づく発光が行われる位置に到達するまでの間、継続される。
【０１１０】
３．可視化処理の流れ
次に、測定結果を発光部２５２において可視化するための表示制御部２４４における可視化処理の流れについて説明する。図１２は、表示制御部２４４における可視化処理の流れを示すフローチャートである。
【０１１１】
ステップＳ１２０１では、電子体温計１００が横方向に往復で振られているか否かを判定する。ステップＳ１２０１において、横方向に往復で振られていると判定された場合には、ステップＳ１２０２に進む。
【０１１２】
ステップＳ１２０２では、可視化情報として測定結果を取得し、ステップＳ１２０３では、信号処理部２３２からの信号（振れ方向の変更位置を示す信号）の出力に基づいて、電子体温計１００の振れ幅Ｌを算出する。
【０１１３】
ステップＳ１２０４では、可視化情報に基づいて、発光部２５２Ａにおいて可視化すべき発光ドットパターンを生成する。
【０１１４】
ステップＳ１２０５では、ステップＳ１２０３において算出された振れ幅Ｌと、ステップＳ１２０４において生成された発光ドットパターンを表現するのに必要な発光素子のドット列数とに基づいて、各ドット列の発光位置ｘを算出する。
【０１１５】
ステップＳ１２０６では、信号処理部２３２からの信号（振れ速度を示す信号）を取得し、信号処理部２３２からの信号（振れ方向の変更位置を示す信号）を受信した位置を基準位置として、信号処理部２３２からの信号（振れ方向の変更位置からの距離を示す信号）と、生成した発光ドットパターンと、算出した各ドット列の発光位置ｘと、取得した振れ速度に対応する発光量とに基づいて、各発光素子の発光の制御を行う。
【０１１６】
ステップＳ１２０７では、信号処理部２３２からの信号の出力が継続しているか否かを判定し、継続していると判定された場合には、ステップＳ１２０１に戻る。一方、信号処理部２３２からの信号の出力がないと判定された場合には、可視化処理を終了する。
【０１１７】
以上の説明から明らかなように、本実施形態に係る電子体温計では、配列された複数の発光素子を備える発光部２５２と、電子体温計１００の振れを検出するモーション・センサ２３１と、各発光素子の発光を制御する表示制御部２４４とを備える構成とした。
【０１１８】
そして、電子体温計が横方向に往復で振られている際に、振れ速度に応じた発光量により各発光素子を適切に発光させることで、被検体の体温に関する情報を、ユーザが空間上で視認できるように構成した。
【０１１９】
この結果、電子体温計において、体温を測定する際の利便性を損なうことなく、ユーザにとってより見やすい表示を実現することが可能となった。特に当該電子体温計によれば、振れ速度に応じて発光量が適切に調節されるため、ユーザによる振れ速度の違いに起因する視認性のバラツキを吸収することができる。また振れ速度が遅いときに必要以上の発光量で発光する必要が無くなり、省電力にもつながる。
【０１２０】
［第３の実施形態］
上記第１及び第２の実施形態では、発光素子としてＬＥＤを用いる場合について説明したが、本発明はこれに限定されず、例えば、有機ＥＬ等、他の発光素子を用いるようにしてもよい。
【０１２１】
また、上記第１及び第２の実施形態では、発光部により可視化された被検体の体温に関する情報として、予測された体温を用いる場合について説明したが、本発明はこれに限定されず、実測された体温を用いるようにしてもよい。
【０１２２】
また、上記第１及び第２の実施形態では、各文字を均等に配置するように発光ドットパターンを生成することとしたが、本発明はこれに限定されず、不均等に配置してもよいし、全体として右寄りに（あるいは左寄り）に配置するように構成してもよい。
【０１２３】
更に、上記第１及び第２の実施形態では、体温測定処理において測定結果が算出された場合に、常に、可視化処理を実行する構成としたが、本発明はこれに限定されず、例えば、所定のスイッチを配し、ユーザの指示に基づいて、可視化処理を実行する場合と実行しない場合とで切り替えられるように構成してもよい。
【符号の説明】
【０１２４】
１００・・・電子体温計、１０１・・・表示部、１０２・・・発光部、１０３・・・エンドキャップ、１０４・・・ＯＮ／ＯＦＦスイッチ、２５２Ａ・・・発光素子
【図１】
2011137661.tif 000003
【図２】
2011137661.tif 000004
【図４】
2011137661.tif 000005
【図５】
2011137661.tif 000006
【図６】
2011137661.tif 000007
【図７Ａ】
2011137661.tif 000008
【図７Ｂ】
2011137661.tif 000009
【図８】
2011137661.tif 000010
【図９】
2011137661.tif 000011
【図１０】
2011137661.tif 000012
【図１１】
2011137661.tif 000013
【図１２】
2011137661.tif 000014
【図３】
2011137661.tif 000015